(57)【要約】【課題】シンクの底面に野菜くず等の滞留が生じにくく、使用者の快適性および清掃性の向上を図ることが可能なキッチン用シンクを提供することを目的としている。【解決手段】本発明にかかるキッチン用シンク（シンク１００）の構成は、シンク１００内の奥側の角部に設けられた排水口１２０と、排水口１２０からシンク１００の側縁１１０ａに沿って延びる誘導溝１３０とを備え、シンク１００の底面１１０は、誘導溝１３０の開放端１３２に向かって下方に傾斜していることを特徴とする。【選択図】図１
2016037709.tif 000002
【特許請求の範囲】
【請求項１】
当該シンク内の奥側の角部に設けられた排水口と、
前記排水口から当該シンクの側縁に沿って延びる誘導溝とを備え、
当該シンクの底面は、前記誘導溝の開放端に向かって下方に傾斜していることを特徴とするキッチン用シンク。
【請求項２】
前記シンクの底面は、前記誘導溝の開放端に向かってすり鉢状に傾斜していることを特徴とする請求項１に記載のキッチン用シンク。
【請求項３】
前記シンクの底面は、前記誘導溝の開放端があるシンク内の手前側の角部に向かって平坦に傾斜していることを特徴とする請求項１に記載のキッチン用シンク。
【請求項４】
前記排水口は、前記シンクの底面の左右方向において、キッチンの調理スペースが設けられる側に寄って配置されていることを特徴とする請求項１から３のいずれか１項に記載のキッチン用シンク。
【請求項５】
前記排水口は、前記シンクの底面の左右方向において、水栓が配置される側に寄って配置されていることを特徴とする請求項１から４のいずれか１項に記載のキッチン用シンク。
【発明の詳細な説明】
【技術分野】
【０００１】
本発明は、システムキッチン等のキッチンキャビネットに組み込まれるキッチン用シンクに関するものである。
【背景技術】
【０００２】
従来からキッチンでは、キッチンキャビネットにシンクが一体に組み込まれていて、かかるシンクにおいて食材の調理や食器の洗浄が行われる。例えば特許文献１に開示されているキッチンシンクでは、排水口側が低くなるようにシンク底面を傾斜させている。これにより、洗浄時の水が排水口に向かってシンク底面を流れていくため、水捌けの向上を図ることができ、ひいては作業性を高めることが可能となる。
【先行技術文献】
【特許文献】
【０００３】
【特許文献１】特開平１１−１３１０１号公報
【発明の開示】
【発明が解決しようとする課題】
【０００４】
従来のキッチン用シンクでは、上述した特許文献１のように排水口に向かって底面が傾斜していることが一般的であり、シンク底面は排水口を中心にしてすり鉢状の傾斜を有している。ここで、シンクにおいて食材の調理や食器の洗浄を行うと、食器に付着していた食べ残しや、調理時の食材の野菜くず等（以下、野菜くず等と称する）が発生する。
【０００５】
このとき、従来のように排水口に向かって底面が傾斜するシンクであると、水栓からの吐水位置よりも排水口側にある野菜くず等は洗浄時の水流によって排水口に流れていくものの、吐水位置より排水口の反対側にある野菜くず等はそこに滞留してしまう。さらに加えて、従来のシンクにおいて排水口はシンクの奥側に配置されている。しかしながら調理によって野菜くず等はシンクの手前側に堆積する。したがって野菜くず等の滞留は、毎回のように発生する。このため、使用者は、滞留した野菜くず等を手でかき集めて排水口に流さなくてはならず、煩雑な手間が生じてしまうという課題があった。また野菜くず等が滞留しやすいと汚れが付着しやすくなるため、清掃に手間がかかり、清掃性の低下を招くという課題もあった。
【０００６】
本発明は、このような課題に鑑み、シンクの底面に野菜くず等の滞留が生じにくく、使用者の快適性および清掃性の向上を図ることが可能なキッチン用シンクを提供することを目的としている。
【課題を解決するための手段】
【０００７】
上記課題を解決するために、本発明にかかるキッチン用シンクの代表的な構成は、当該シンク内の奥側の角部に設けられた排水口と、排水口から当該シンクの側縁に沿って延びる誘導溝とを備え、当該シンクの底面は、誘導溝の開放端に向かって下方に傾斜していることを特徴とする。
【０００８】
上記構成によれば、シンクの底面は、排水口ではなく側縁に沿って延びる誘導溝の開放端に向かう傾斜である。すなわち、シンクの底面は手前側に向かって下降するように傾斜をしている。このようにシンクの底面が手前側に向かって傾斜していることにより、野菜くず等が発生するシンク手前側の領域よりも、水栓からの吐水位置の方が底面の傾斜の上流側に位置することになる。したがって、野菜くず等は、シンクの底面を流れる水流によって誘導溝に向かって流される。
【０００９】
そして、誘導溝に至った野菜くず等は、かかる誘導溝に流れ込んだ水によって排水口に向かって流れていく。したがって、例えば、皿を洗う水流によって自然に野菜くず等も流されることになり、皿を洗い終わる頃には野菜くず等の清掃も終了している。このため、使用者は従来のような野菜くずをかき集める作業を行う必要がなく、煩雑な手間が省かれ、高い快適性を得ることが可能となる。また野菜くず等の滞留が防がれることにより、シンク底面への汚れの付着が防がれ、常に清潔な状態が保たれる。このため、シンクの清掃を容易に行うことができ、高い清掃性を得ることが可能となる。
【００１０】
上記シンクの底面は、誘導溝の開放端に向かってすり鉢状に傾斜しているとよい。また上記シンクの底面は、誘導溝の開放端があるシンク内の手前側の角部に向かって平坦に傾斜しているとよい。かかる構成のように、シンクの底面が、すり鉢状に傾斜している、または平坦に傾斜していることにより、上述した効果が好適に得られる。
【００１１】
上記排水口は、シンクの底面の左右方向において、キッチンの調理スペースが設けられる側に寄って配置されているとよい。キッチンの調理スペースでは野菜くず等が発生しやすい。このため、調理スペース側に排水口を配置することにより、野菜くず等を排水口に捨てやすくなり、調理時の作業性を高めることが可能となる。
【００１２】
上記排水口は、シンクの底面の左右方向において、水栓が配置される側に寄って配置されているとよい。これにより、水栓からの水の流れによって野菜くず等が排水口に向かって流れやすくなるため、上述した効果を高めることが可能となる。
【発明の効果】
【００１３】
本発明によれば、シンクの底面に野菜くず等の滞留が生じにくく、使用者の快適性および清掃性の向上を図ることが可能なキッチン用シンクを提供することができる。
【図面の簡単な説明】
【００１４】
【図１】本実施形態にかかるキッチン用シンクの全体図である。
【図２】図１（ｂ）の断面図である。
【図３】排水蓋の他の形状を説明する図である。
【図４】図１（ｂ）に示すシンクの他の例を示す図である。
【発明を実施するための形態】
【００１５】
以下に添付図面を参照しながら、本発明にかかる給湯装置および給湯システムの好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１６】
図１は、本実施形態にかかるキッチン用シンク（以下、単にシンク１００と称する）の全体図であり、図１（ａ）は、シンク１００の全体斜視図であり、図１（ｂ）は、図１（ａ）のシンク１００を上方から観察した状態を示す図である。図２は、図１（ｂ）の断面図であり、図２（ａ）は、図１（ｂ）のＡ−Ａ断面図であり、図２（ｂ）は、図１（ｂ）のＢ−Ｂ断面図であり、図２（ｃ）は、図１（ｂ）のＣ−Ｃ断面図である。なお、図１（ｂ）では、底面１１０の傾斜方向を矢印にて図示している。
【００１７】
図１（ａ）に示すように、本実施形態にかかるシンク１００は、底面１１０、排水口１２０および誘導溝１３０を含んで構成される。底面１１０の周囲の縁からは壁面１４０が立設していて、シンク１００の奥側の左隅に、壁面１４０から連続し、水栓（不図示）が取り付けられる取付孔１５２が設けられた水栓取付面１５０が設けられている。
【００１８】
更に本実施形態では、水栓取付面１５０の手前側であって、シンク１００内の奥側の角部に、底面１１０の側縁１１０ａに沿うように排水口１２０が配置されている。排水口１２０は、上方に配置される排水蓋１６０（図１（ａ）参照）によって覆われる。これにより、排水口１２０が使用者の目にふれることがないため、シンク１００における美観を向上させることができる。
【００１９】
図３は、排水蓋１６０の他の形状を説明する図であり、図１（ｂ）に示すシンク１００を模式的に図示している。本実施形態では、図１（ｂ）に示すように略三角形状（直角三角形状）の排水蓋１６０を例示したが、これに限定するものではない。排水蓋１６０は、例えば図３（ａ）に示すように四角形状であってもよいし、図４（ｂ）に示すように丸状であってもよい。
【００２０】
また本実施形態では、シンク１００の形状を横長の四角形状としているが、これにおいても例示にすぎず、限定するものではない。シンク１００は、例えば丸型やＬ字型等の他の形状としてもよい。更に本実施形態のシンク１００では、水栓取付面１５０を備える構成を例示しているが、これにおいても限定されず、水栓取付面１５０を設けずに、シンク１００の外側に水栓、すなわちそれが取り付けられる取付孔１５２を配置する構成とすることも可能である。水栓取付面１５０ひいては水栓（取付孔１５２）の位置においても、必ずしもシンク１００の奥側の左隅とする必要はなく、中央や右隅等、任意の位置に配置してよい。
【００２１】
図１（ａ）および（ｂ）に示すように、本実施形態の誘導溝１３０は、排水口１２０からシンク１００の底面１１０の側縁１１０ａに沿って延びている。そして、本実施形態の特徴として、シンク１００の底面１１０は、誘導溝１３０の開放端１３２（図１（ｂ）参照）に向かって下方に傾斜する。
【００２２】
詳細には、図２（ａ）に示すように、底面１１０は、シンク１００の奥行方向（前後方向）では、手前側（前方）、すなわち奥行方向において誘導溝１３０の開放端１３２が位置する方に向かうにしたがって下方に傾斜する。一方、図２（ｂ）に示すように、シンク１００の左右方向では、底面１１０は、左側に向かうにしたがって、すなわち左右方向で誘導溝１３０の開放端１３２が位置する方に向かうにしたがって下方に傾斜する。これにより、図１（ｂ）に模式的に示す野菜くず等（以下、野菜くず１０２と称する）は、水栓（不図示）からの水によって底面１１０を流れ、誘導溝１３０の開放端１３２に至る。
【００２３】
図２（ｂ）に示すように、誘導溝１３０は、底面１１０よりも下方に窪んだ溝である。そして、図２（ｃ）に示すように、誘導溝１３０は、奥行方向で排水口１２０に向かうにしたがって下方に傾斜している。
【００２４】
上記説明したように、本実施形態のシンク１００において、底面１１０は、従来のような排水口１２０に向かうすり鉢状の傾斜ではなく、シンク１００の手前側に設けられた誘導溝１３０の開放端１３２に向かう傾斜である。すなわち、シンク１００の底面１１０が手前側に向かって下降するように傾斜している。そして、水栓が取り付けられる取付孔１５２がシンク１００の奥側に設けられていることから、底面１１０において、水栓からの吐水位置は、野菜くず等が発生する手前側の領域よりも傾斜の上流側に位置することとなる。これにより、図１（ｂ）に示す野菜くず１０２は、底面１１０の奥側（上流側）から流れてきた水流によって誘導溝１３０の開放端１３２に向かって流される。
【００２５】
そして、誘導溝１３０の開放端１３２に至った野菜くず１０２は、それと一緒に流れ込んだ水の水流によって誘導溝１３０内を流れていく。このとき、誘導溝１３０が排水口１２０に向かうにしたがって下方に傾斜していることにより、誘導溝１３０に流れ込んだ野菜くず１０２は、そこに流れ込んだ水によって流されて排水口１２０に至る。誘導溝１３０を流れる水は、排水蓋１６０の下に入り込むように排水口１２０へと導かれる。
【００２６】
上記構成によれば、食器等を洗浄する際に流れた水が底面１１０を流れることにより、底面１１０の手前側の領域にある野菜くず１０２が自然に誘導溝１３０に向かってながれ、排水口１２０に案内される。したがって、食器等の洗浄作業が終了する頃には野菜くず１０２の除去も完了することとなる。これにより、使用者は従来のような野菜くず１０２をかき集める作業が不要となり、高い快適性を得ることが可能となる。
【００２７】
また野菜くず１０２が洗浄作業時の水流によって自然に排水口１２０に移動することにより、シンク１００の底面１１０への野菜くずの滞留が防がれる。これにより、野菜くず１０２の滞留に起因するシンク１００の底面１１０への汚れの付着を好適に防ぐことができ、常に清潔な状態を保つことができる。したがって、使用者はシンク１００の清掃を容易に行うことができ、高い清掃性を得ることが可能となる。
【００２８】
図４は、図１（ｂ）に示すシンク１００の他の例を示す図である。ここで、図１（ｂ）に示すように、本実施形態では、シンク１００の底面１１０は、誘導溝１３０の開放端１３２に向かってすり鉢状に傾斜している構成を例示したが、これに限定するものではない。例えば図４に示すように、シンク１００の底面１１０は、誘導溝１３０の開放端１３２があるシンク１００内の手前側の角部に向かって平坦に傾斜していてもよい。
【００２９】
図４に示すように底面１１０が平坦に傾斜していることにより、すり鉢状に傾斜している場合に比して広い領域に水流が流れるため、野菜くず１０２の滞留を一層抑制することができ、上述した効果を高めることができる。また底面１１０を平坦に傾斜させることにより、誘導溝１３０の深さ（高低差）を小さくする効果がある。
【００３０】
詳細には、図１（ｂ）に示すように底面１１０が誘導溝１３０の開放端１３２に向かってすり鉢状に傾斜していると、底面１１０が誘導溝１３０に向かって（図１（ｂ）では左に向かって）次第に高くなる。すると、シンク１００の側縁１１０ａと誘導溝１３０の底との高低差が大きくなってしまう。これに対し、底面１１０を平坦にすることにより、底面１１０における左右方向の傾斜が緩やかになるため、高低差を最小限に抑えることができる。したがって、シンクの成形時に深絞りをする量が減るため、ステンレス鋼をプレス成形する際の加工を容易とすることが可能となる。
【００３１】
更に本実施形態では、排水口１２０を、シンクの底面１１０の左右方向において、水栓が配置される側、すなわち取付孔１５２が設けられる側に寄せて配置している。これにより、水栓からの水の流れによって野菜くず１０２が排水口１２０に向かって流れやすくなり、上述した効果をより高めることが可能となる。
【００３２】
また排水口１２０は、シンクの底面１１０の左右方向において、キッチンの調理スペース（不図示）が設けられる側に寄せて配置されているとよい。本実施形態では、キッチンの調理スペースがシンク１００の左側に設けられることを想定し、排水口１２０をシンク１００の左側に寄せて配置している。これにより、キッチンの調理スペースで発生した野菜くず１０２が排水口１２０側に落下するため、野菜くず１０２が流水によって流れやすくなる。
【００３３】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００３４】
本発明は、システムキッチン等のキッチンキャビネットに組み込まれるキッチン用シンクとして利用することができる。
【符号の説明】
【００３５】
１００…シンク、１０２…野菜くず、１１０…底面、１１０ａ…側縁、１２０…排水口、１３０…誘導溝、１３２…開放端、１４０…壁面、１５０…水栓取付面、１５２…取付孔、１６０…排水蓋
【図１】
2016037709.tif 000003
【図２】
2016037709.tif 000004
【図３】
2016037709.tif 000005
【図４】
2016037709.tif 000006